(57)【要約】【課題】スリムな曲面型表示装置を提供する。【解決手段】曲面型表示装置は、バックライトユニット及び表示パネル並びにメインシャーシ及びサブシャーシを含む。バックライトユニットは、導光板を含み、水平方向に湾曲したものであってもよい。前記表示パネルは、前記バックライトユニットの表側に配置され、湾曲したものである。前記導光板は、入光面及び対光面を含む。前記入光面は、光源などからの光を受光する。前記対光面は、前記入光面と対向する。前記導光板は、前記入光面から前記対光面に行くほど、厚さが薄くなるものである。メインシャーシは、水平方向に湾曲したトレイ状の一体の部材であり、バックライトユニット及び表示パネルを収納し保持する。サブシャーシは、メインシャーシの下端面に重なる水平壁部、及び、表示パネルの下縁部を表側から覆う垂直壁部を含む。サブシャーシの下面は、使用時の底面をなす。【選択図】図４Ａ
2017003972.tif 000002
【特許請求の範囲】
【請求項１】
曲がった導光板を含み、曲がったバックライトユニットと、
前記バックライトユニットの上に形成され、曲がった表示パネルと、を含み、
前記導光板は、
光を受光する入光面と、
前記入光面と対向する対光面と、を含み、
前記導光板は、
前記入光面から前記対光面に行くほど、厚さが薄くなる曲面型表示装置。
【請求項２】
前記導光板は、
前記入光面から前記対光面に行くほど、厚さが一定に薄くなる請求項１に記載の曲面型表示装置。
【請求項３】
前記導光板は、
前記入光面及び前記対光面と連結される第１側面と、
前記第１側面と離隔され、前記入光面及び前記対光面と連結される第２側面と、をさらに含み、
前記第１側面及び前記第２側面の各々は、
台形の形状を有する請求項１に記載の曲面型表示装置。
【請求項４】
前記第１側面及び前記第２側面の各々は、
直線により定義される請求項３に記載の曲面型表示装置。
【請求項５】
前記第１側面の面積は、
前記第２側面の面積と同一のものである請求項３に記載の曲面型表示装置。
【請求項６】
前記入光面及び前記対光面の各々は、
直線及び曲線により定義される請求項１に記載の曲面型表示装置。
【請求項７】
前記入光面の面積は、
前記対光面の面積より広いものである請求項１に記載の曲面型表示装置。
【請求項８】
前記導光板は、
光を受光して出射する出光面と、
前記出光面と対向する導光背面と、をさらに含み、
前記出光面と前記導光背面との間の距離は、
前記入光面から前記対光面に行くほど、近くなる請求項１に記載の曲面型表示装置。
【請求項９】
前記出光面と前記導光背面との間の角度は、
０．１°以上乃至０．３°未満である請求項８に記載の曲面型表示装置。
【請求項１０】
前記出光面及び前記導光背面の中で少なくとも１つは、
レンチキュラー形状又はプリズム形状を有する請求項８に記載の曲面型表示装置。
【発明の詳細な説明】
【技術分野】
【０００１】
本発明は、曲面型表示装置及びその製造方法に関し、より詳細にはスリム化を具現できる曲面型表示装置及びその製造方法に関する。
【背景技術】
【０００２】
平板型表示装置（フラットパネルディスプレイ）は、ＴＶ、モニター、ノート型コンピューター、及び携帯電話等の多様な情報処理装置に映像を表示する用途に使用されている。最近には、曲がった形状を有する曲面型表示装置が開発されており、このような前記曲面型表示装置は、曲面の形状を有する表示領域を提供することで、使用者に立体感、没入感、及び臨場感が向上された映像を提供することができる。
【先行技術文献】
【特許文献】
【０００３】
【特許文献１】韓国特許第１０―１４２９４８６号公報
【特許文献２】韓国特許第１０―１３２５２８９号公報
【特許文献３】韓国公開特許第１０−２０１３−００５１１３０号公報
【特許文献４】韓国公開特許第１０−２０１２−０１３０９１９号公報
【特許文献５】韓国公開特許第１０−２０１２−００８５３７８号公報
【発明の概要】
【発明が解決しようとする課題】
【０００４】
本発明の目的は、スリムな曲面型表示装置を提供することにある。本発明の他の目的は、曲面型表示装置のスリム化を具現できる曲面型表示装置の製造方法を提供することにある。
【課題を解決するための手段】
【０００５】
本発明の一実施形態による曲面型表示装置は、バックライトユニット及び表示パネルを含む。バックライトユニットは、湾曲した導光板を含む、全体に湾曲したものであってもよい。前記表示パネルは、前記バックライトユニットの表側に配置され、同様に湾曲したものであってもよい。前記導光板は、入光面及び対光面を含む。前記入光面は、光源などからの光を受光する。前記対光面は、前記入光面と対向する。前記導光板は、前記入光面から前記対光面へと行くほど、厚さが薄くなる。
【０００６】
好ましい実施形態において、前記導光板は、前記入光面から前記対光面に行くほど、厚さが一定の割合で薄くなる。
【０００７】
前記導光板は、第１側面及び第２側面をさらに含む。前記第１側面は、前記入光面及び前記対光面と連結される。前記第２側面は、前記第１側面と離隔され、前記入光面及び前記対光面と連結される。前記第１側面及び前記第２側面の各々は、台形の形状を有してもよい。
【０００８】
前記第１側面及び前記第２側面の各々は、直線により画されたものであってもよい。
【０００９】
前記第１側面の面積は、前記第２側面の面積と同一であってもよい。
【００１０】
前記入光面及び前記対光面の各々は、直線及び曲線により画されたものでもよい。
【００１１】
前記入光面の面積は、前記対光面の面積より広いものであってもよい。
【００１２】
前記導光板は、出光面及び導光背面をさらに含むことができる。前記出光面は、光を受けて出射するものであってもよい。前記導光背面は、前記出光面と対向するものであってもよい。前記出光面と前記導光背面との間の距離は、前記入光面から前記対光面に行くほど、近くなってもよい。
【００１３】
前記入光面から前記対光面へと向かう方向に沿った、前記出光面と前記導光背面との間の角度は、０．１°乃至０．３°であってもよい。
【００１４】
前記出光面及び前記導光背面の中で少なくとも１つは、レンチキュラー形状又はプリズム形状を有してもよい。
【００１５】
前記導光板は、散乱剤をさらに含んでもよい。
【００１６】
前記表示パネルは、第１曲率半径を有し、前記バックライトユニットは、前記第１曲率半径と異なる第２曲率半径を有してもよい。
【００１７】
本発明の一実施形態による曲面型表示装置は、湾曲したメインシャーシをさらに含むことができる。前記メインシャーシは、前記バックライトユニット及び前記表示パネルを固定し、金属又は合金を含んでもよい。
【００１８】
本発明の一実施形態による曲面型表示装置は、印刷回路基板及びテープキャリヤーパッケージ（Ｔａｐｅ  Ｃａｒｒｉｅｒ  Ｐａｃｋａｇｅ：ＴＣＰ）をさらに含むことができる。前記印刷回路基板は、前記表示パネルと電気的に連結されるものであってもよい。前記テープキャリヤーパッケージは、前記表示パネル及び前記印刷回路基板と連結されるものであってもよい。
【００１９】
本発明の一実施形態による曲面型表示装置は、前記表示パネルの側面の中で少なくとも１つをカバーするサブシャーシをさらに含むことができる。
【００２０】
前記印刷回路基板は、前記メインシャーシの一面に形成され、前記サブシャーシは、前記テープキャリヤーパッケージの少なくとも一部をカバーするものであってもよい。
【００２１】
前記サブシャーシは、前記入光面と隣接して形成されるものであってもよい。
【００２２】
本発明の一実施形態による曲面型表示装置は、前記印刷回路基板をカバーし、前記メインシャーシの一部と、表示装置の厚み方向に重ね合わされるケーシング状の補助フレームをさらに含んでもよい。
【００２３】
前記補助フレームは、前記入光面と隣接して形成されるものであってもよい。
【００２４】
前記メインシャーシは、剛性を補強するエンボス状（一方の面から陥没し、他方の面から突き出す形状）をなすリブを含み、前記リブは、前記補助フレームと離隔されてもよい。
【００２５】
本発明の一実施形態による曲面型表示装置の製造方法は、バックライトユニットを準備する段階及び前記バックライトユニットの上に表示パネルを形成する段階を含むことができる。前記バックライトユニットを準備する段階は、入光面及び対光面を含み、前記入光面から前記対光面に行くほど、厚さが薄くなる導光板を準備する段階を含んでもよい。
【００２６】
前記導光板を準備する段階は、押出又は射出で前記導光板を準備するものであってもよい。
【００２７】
本発明の一実施形態による曲面型表示装置は、バックライトユニット及び表示パネルを含む。バックライトユニットは、導光板を含み、全体に湾曲したものであってもよい。前記表示パネルは、前記バックライトユニットの表側に配置され、全体に湾曲したものであってもよい。前記導光板は、全体に湾曲した形状を有してもよい。
【発明の効果】
【００２８】
本発明の一実施形態による曲面型表示装置によれば、スリム化を具現することができる。
【００２９】
本発明の一実施形態による曲面型表示装置の製造方法によれば、スリムな曲面型表示装置を提供することができる。
【図面の簡単な説明】
【００３０】
【図１Ａ】本発明の一実施形態による曲面型表示装置を概略的に示した分解斜視図である。
【図１Ｂ】図１ＡのＩ−Ｉ’線に対応する概略的な断面図である。
【図１Ｃ】図１ＡのＩＩ−ＩＩ’線に対応する概略的な断面図である。
【図２Ａ】本発明の一実施形態による曲面型表示装置に含まれる表示パネルを概略的に示した斜視図である。
【図２Ｂ】本発明の一実施形態による曲面型表示装置に含まれるバックライトユニットを概略的に示した斜視図である。
【図２Ｃ】本発明の一実施形態による曲面型表示装置に含まれるメインシャーシを概略的に示した斜視図である。
【図３Ａ】本発明の一実施形態による曲面型表示装置に含まれる導光板を概略的に示した斜視図である。
【図３Ｂ】本発明の一実施形態による曲面型表示装置に含まれる導光板を概略的に示した斜視図である。
【図３Ｃ】本発明の一実施形態による曲面型表示装置に含まれる導光板を概略的に示した斜視図である。
【図３Ｄ】本発明の一実施形態による曲面型表示装置に含まれる導光板を概略的に示した側面図である。
【図４Ａ】本発明の一実施形態による曲面型表示装置を概略的に示した分解斜視図である。
【図４Ｂ】図４ＡのＩ−Ｉ’線に対応する概略的な断面図である。
【図４Ｃ】本発明の一実施形態による曲面型表示装置を概略的に示した斜視図である。
【図５Ａ】本発明の一実施形態による曲面型表示装置を概略的に示した分解斜視図である。
【図５Ｂ】図５ＡのＩ−Ｉ’線に対応する概略的な断面図である。
【図５Ｃ】本発明の一実施形態による曲面型表示装置を概略的に示した斜視図である。
【図６】本発明の一実施形態による曲面型表示装置の製造方法を概略的に示した順序図である。
【発明を実施するための形態】
【００３１】
以上の本発明の目的、他の目的、特徴、及び長所は、添付された図面に関連された以下の望ましい実施形態を通じて容易に理解できる。しかし、本発明は、ここで説明される実施形態に限定されなく、他の形態に具体化されてもよい。むしろ、ここで紹介される実施形態は、開示された内容が徹底であり、完全になることができるように、そして通常の技術者に本発明の思想が十分に伝達され得るようにするために提供される。
【００３２】
各図面を説明しながら、類似な参照符号を類似な構成要素に対して使用した。添付された図面において、構造物の寸法は、本発明を明確に説明するために実際より拡大して示したことである。第１、第２等の用語は、多様な構成要素を説明するために使用されるが、構成要素は、用語によって限定されない。用語は、１つの構成要素を他の構成要素から区別する目的のみに使用される。例えば、本発明の権利範囲を逸脱しない第１構成要素は、第２構成要素と称されてもよく、類似に第２構成要素も第１構成要素と称されてもよい。単数の表現は、文脈の上に明確に異なりに意味しない限り、複数の表現を含む。
【００３３】
本出願で、“含む”又は“有する”等の用語は、明細書の上に記載された特徴、数字、段階、動作、構成要素、部品又はこれらを組合したことが存在することを指定しようとすることであるので、１つ又はそれ以上の他の特徴や数字、段階、動作、構成要素、部分品又はそれらを組合したことの存在又は付加可能性を予め排除しないこととして理解しなければならない。また、層、領域、板等の部分が他の部分の“上に”または「表側」にあるとする場合、これは、他の部分の“直ちに上に”または「表側」の面に接するように存在する場合のみでなく、その中間にその他の部分または部材がある場合も含む。反対に層、膜、領域、板等の部分が他の部分の“下に”または「背面側」にあるとする場合、これは、他の部分の“直ちに下に”または「背面側」の面に接するように存在する場合のみでなく、その中間にその他の部分がある場合も含む。なお、以下の説明において、便宜上、表示装置を立てて使用する通常の使用状態での上下左右を基準に説明する。
【００３４】
以下では、本発明の一実施形態による曲面型表示装置に対して説明する。
【００３５】
図１Ａは、本発明の一実施形態による曲面型表示装置を概略的に示した分解斜視図である。
【００３６】
図１Ｂは、図１ＡのＩ−Ｉ’線に対応する概略的な断面図である。
【００３７】
図１Ｃは、図１ＡのＩＩ−ＩＩ’線に対応する概略的な断面図である。
【００３８】
図１Ａ乃至図１Ｃを参照すれば、本発明の一実施形態による曲面型表示装置１０は、表示パネル１００及びバックライトユニット２００を含む。
【００３９】
表示パネル１００は、バックライトユニット２００の上に形成される。表示パネル１００は、光を受信して、映像を表示する。表示パネル１００は、受光型表示パネルとして液晶表示パネル１００（ｌｉｑｕｉｄ  ｃｒｙｓｔａｌ  ｄｉｓｐｌａｙ  ｐａｎｅｌ）、プラズマ表示パネル（ｐｌａｓｍａ  ｄｉｓｐｌａｙ  ｐａｎｅｌ）、電氣泳動表示パネル（ｅｌｅｃｔｒｏｐｈｏｒｅｔｉｃ  ｄｉｓｐｌａｙ  ｐａｎｅｌ）、ＭＥＭＳ表示パネル（ｍｉｃｒｏｅｌｅｃｔｒｏｍｅｃｈａｎｉｃａｌ  ｓｙｓｔｅｍ  ｄｉｓｐｌａｙ  ｐａｎｅｌ）、及びエレクトロ・ウェッティング表示パネル（ｅｌｅｃｔｒｏｗｅｔｔｉｎｇ  ｄｉｓｐｌａｙ  ｐａｎｅｌ）等の多様な表示パネルであってもよい。本発明の一実施形態による表示パネル１００は、液晶表示パネルであることを例として説明する。
【００４０】
前記液晶表示パネルは、ＶＡ（Ｖｅｒｔｉｃａｌ  Ａｌｉｇｎｍｅｎｔ）モード、ＰＶＡ（Ｐａｔｔｅｒｎｅｄ  Ｖｅｒｔｉｃａｌ  Ａｌｉｇｎｍｅｎｔ）モード、ＩＰＳ（ｉｎ−ｐｌａｎｅ  ｓｗｉｔｃｈｉｎｇ）モード、又はＦＦＳ（ｆｒｉｎｇｅ−ｆｉｅｌｄ  ｓｗｉｔｃｈｉｎｇ）モード、及びＰＬＳ（Ｐｌａｎｅ  ｔｏ  Ｌｉｎｅ  Ｓｗｉｔｃｈｉｎｇ）モード等の中でいずれか１つのパネルであり、特定なモードのパネルに制限されない。
【００４１】
表示パネル１００は、映像を表示する表示領域ＤＡ及び映像を表示しない周縁の非表示領域ＮＤＡを含む。表示領域ＤＡは、映像を表示する。曲面型表示装置１０の厚さ方向ＤＲ３から見たとき、表示領域ＤＡは、大略的に長方形の形状を有するものであるが、これに限定されることではない。
【００４２】
表示領域ＤＡは、複数の画素領域（未図示）を含む。これら画素領域（図示せず）は、マトリックス状に配置される。各画素領域（図示せず）は、複数の画素（図示せず）の各々を含む。好ましい実施形態において、表示領域ＤＡの対角寸法は、２０インチ以上、好ましくは２０〜１００インチ、特に好ましくは３０〜８０インチである。
【００４３】
非表示領域ＮＤＡは、映像を表示しない。曲面型表示装置１０をその厚さ方向ＤＲ３から見たとき、非表示領域ＮＤＡは、例えば、表示領域ＤＡを囲む。非表示領域ＮＤＡは、第１方向ＤＲ１（表示装置を立てて使用する際の垂直方向）及び第１方向ＤＲ１と垂直になる第２方向ＤＲ２（表示装置を立てて使用する際の、向かって左右の方向）から表示領域ＤＡと隣接する。
【００４４】
図２Ａは、本発明の一実施形態による曲面型表示装置に含まれる表示パネルを概略的に示した斜視図である。
【００４５】
図１Ａ乃至図１Ｃ及び図２Ａを参照すれば、表示パネル１００は、水平方向に湾曲したものである。表示パネル１００は、第１曲率半径Ｒ１を有する。例えば、表示パネル１００に含まれる表示曲面１０３は、第１曲率半径Ｒ１を有する。但し、表示曲面１０３から背面１０１へと向かう方向に見たとき、表示パネル１００が膨らんでいるように曲がっている場合には、背面１０１が第１曲率半径Ｒ１を有する。
【００４６】
第１曲率半径Ｒ１は、２０００ｍｍ乃至５０００ｍｍである。第１曲率半径Ｒ１が２０００ｍｍ未満であれば、表示される映像を使用者が効果的に認識し難く、第１曲率半径Ｒ１が５０００ｍｍを超過すれば、曲面型表示装置１０によって表示される映像に対する使用者の立体感、没入感及び臨場感等が低下する。
【００４７】
図１Ａでは、曲面型表示装置１０の厚さ方向ＤＲ３から見た時、表示パネル１００が凹んだ形状を有することを例として図示したが、これに限定されることではなく、曲面型表示装置１０の厚さ方向ＤＲ３から見たとき、表示パネル１００は、膨らんでいる形状を有してもよい。
【００４８】
図２Ｂは、本発明の一実施形態による曲面型表示装置に含まれるバックライトユニットを概略的に示した斜視図である。
【００４９】
図１Ａ乃至図１Ｃ、図２Ａ、及び図２Ｂを参照すれば、バックライトユニット２００は、表示パネル１００に光を供給する。バックライトユニット２００は、曲がったものである。バックライトユニット２００は、第２曲率半径Ｒ２を有する。例えば、バックライトユニット２００に含まれる上面２０３は、第２曲率半径Ｒ２を有する。上面２０３は、例えば、バックライトユニット２００に含まれる構成の中で表示パネル１００と最も隣接する構成の上面であるものである。第２曲率半径Ｒ２は、第１曲率半径Ｒ１よりわずかに大きい。但し、上面２０３から下面２０１へと向かう方向で見たとき、バックライトユニット２００が膨らむように湾曲している場合には、下面２０１が第２曲率半径Ｒ２を有する。この場合、第２曲率半径Ｒ２は、第１曲率半径Ｒ１よりわずかに小さい。
【００５０】
バックライトユニット２００は、導光板２４０を含む。バックライトユニット２００は、光を提供する光源ユニット２３０及び光源ユニット２３０の表側に配置される光学部材２５０をさらに含むことができる。
【００５１】
導光板２４０は、表示パネル１００の下部に形成される。導光板２４０は、曲がったものである。導光板２４０は、光源ユニット２３０から受け取った光をガイドして出射する。導光板２４０は、光源ユニット２３０から受け取った光を表示パネル１００の方向へと導く。導光板２４０の内部に入射された光は、導光板２４０の出光面２４６（図３Ａ）を通じて表示パネル１００の方向に出射される。
【００５２】
導光板２４０は、通常的に使用するものであれば、特別に限定しないが、ポリカーボネート（ｐｏｌｙｃａｒｂｏｎａｔｅ）やポリメチルメタクリラート（ｐｏｌｙｍｅｔｈｙｌ  ｍｅｔｈａｃｒｙｌａｔｅ）等の透明な高分子樹脂から形成されてもよい。導光板２４０に対しては、より具体的に後述するようにする。
【００５３】
光源ユニット２３０は、水平方向に延びるとともに同様に湾曲したものである。光源ユニット２３０は、少なくとも１つの光源２３１及び光源２３１を一面に実装し、光源２３１に電源を印加する回路基板２３２を含む。光源２３１は、発光ダイオードＬＥＤ（Ｌｉｇｈｔ  Ｅｍｉｔｔｉｎｇ  Ｄｉｏｄｅｓ）である。回路基板２３２は、曲面型表示装置１０の厚さ方向ＤＲ３から見た時、方形の形状を有する。光源２３１は、複数であり、回路基板２３２の上に第２方向ＤＲ２（表示装置の左右方向）に互いに離隔されて配置される。光源２３１及び回路基板２３２の各々は、水平方向に湾曲したものである。
【００５４】
本発明の一実施形態による曲面型表示装置１０では、光源ユニット２３０が導光板２４０の側面の中で１つのみに対応されて具備されたことを例として説明したが、これに限定されることではなく、導光板２４０の他の側面に沿って複数の光源ユニット２３０が配置されてもよい。本発明の一実施形態では、曲面型表示装置１０がエッジ型（ｅｄｇｅ−ｔｙｐｅ）の光源ユニット２３０を含むことを例として説明したが、これに限定されることではなく、本発明の一実施形態に他の曲面型表示装置１０は、直下型の光源ユニット２３０を含んでもよい。
【００５５】
光学部材２５０は、表示パネル１００及び導光板２４０の間に形成される。光学部材２５０は、表示パネル１００及び導光板２４０と同様に、水平方向に湾曲したものである。光学部材２５０は、導光板２４０の出光面に出射される光の輝度及び視野角を向上させる。光学部材２５０は、順次積層された第１光学シート２５１、第２光学シート２５２、及び第３光学シート２５３を含む。第１光学シート２５１、第２光学シート２５２、及び第３光学シート２５３の各々は、水平方向に湾曲して形成されたものである。
【００５６】
第１光学シート２５１は、導光板２４０から出射された光を拡散する拡散シートである。第２光学シート２５２は、拡散シートで拡散された光を上部の表示パネル１００の平面と垂直である方向に集光するプリズムシートである。第３光学シート２５３は、プリズムシートを外部の衝撃から保護する保護シートである。光学部材２５０は、第１光学シート２５１、第２光学シート２５２、及び第３光学シート２５３の中で少なくともいずれか１つを複数枚に重ねて使用してもよく、必要によって１つ以上のシートを省略してもよい。
【００５７】
図示しなかったが、バックライトユニット２００は、反射シートをさらに含む。反射シートは、導光板２４０の下部に形成される。反射層シートは、曲がったものである。反射シートは、表示パネル１００の方向へと進行せずに漏洩される光を反射させて光が表示パネル１００の方向へと進行するように光の経路を変更させる。これによって、反射シートは、表示パネル１００側に供給される光の量を増加させる。
【００５８】
図２Ｃは、本発明の一実施形態による曲面型表示装置に含まれるメインシャーシを概略的に示した斜視図である。
【００５９】
図１Ａ乃至図１Ｃ、図２Ａ乃至図２Ｃを参照すれば、メインシャーシ３００は、バックライトユニット２００及び表示パネル１００を固定する。
【００６０】
メインシャーシ３００は、曲がったものである。メインシャーシ３００は、第３曲率半径Ｒ３を有する。例えば、メインシャーシ３００に含まれる主壁（トレイ状の底をなす部分で、使用時の垂直方向の壁）の表側の面３０３は、第３曲率半径Ｒ３を有する。第３曲率半径Ｒ３は、第１曲率半径Ｒ１及び第２曲率半径Ｒ２の各々よりわずかに大きい。但し、底の上面３０３から底の下面３０１方向を見た時、メインシャーシ３００が膨らんでいるように曲がっている場合には、主壁（トレイ状の底）の背面３０１が第３曲率半径Ｒ３を有する。この場合、第３曲率半径Ｒ３は、第１曲率半径Ｒ１及び第２曲率半径Ｒ２の各々よりわずかに小さい。
【００６１】
好ましい実施形態において、メインシャーシ３００は、金属又は合金を含む材料を用いて形成される。例えば、メインシャーシ３００は、アルミニウム、マグネシウム、金、銀、及び鉄等を含む金属または合金を、主たる材料、コア材料、またはクラッドの材料として用いて形成される。これによって、メインシャーシ３００は、表示パネル１００等を固定する役割だけではなく、防熱板の役割を共に遂行する。本発明の一実施形態による曲面型表示装置１０が、樹脂を用いて形成されるモールドフレームを、メインシャーシ３００の内部に含まない場合、メインシャーシ３００は、モールドフレームの役割も共に遂行する。なお、メインシャーシ３００は、場合によっては、熱伝導性の繊維や粒子（例えば金属の短繊維や粒子）などをフィラーとして含む熱伝導性樹脂、またはその他の熱伝導性樹脂により形成することも可能である。
【００６２】
メインシャーシ３００の厚さは、一定ではないこともあり得る。例えば、メインシャーシ３００で、導光板２４０の入光面２４１（図３Ａ）と隣接する部分の厚さは、導光板２４０の対光面２４２（図３Ａ）と隣接する部分の厚さより厚い。メインシャーシ３００の厚さは、導光板２４０の入光面２４１（図３Ａ）と隣接する部分から、導光板２４０の対光面２４２（図３Ａ）と隣接する部分に近くなるほど、一定に小さくなる。
【００６３】
部分的にしか図示しなかったが、メインシャーシ３００は、光源ユニット収容部、光学部材収容部、及び表示パネル収容部を含む。光源ユニット収容部は、光源ユニット２３０を収容する。光源ユニット収容部は、光学部材収容部と連結される。光学部材収容部は、光源ユニット収容部の上に形成される。光学部材収容部は、光源ユニット収容部及び表示パネル収容部との間に形成される。光学部材収容部は、光源ユニット収容部と連結される。光学部材収容部は、表示パネル収容部と連結される。光学部材収容部は、光学部材２５０を収容し、表示パネル１００を支持する。表示パネル収容部は、光学部材収容部の上に形成され、表示パネル１００を収容する。
【００６４】
光源ユニット収容部、光学部材収容部、及び表示パネル収容部は、一体に形成される。光源ユニット収容部、光学部材収容部、及び表示パネル収容部は、同一の工程で製造される。より具体的な例において、光源ユニット収容部、光学部材収容部、及び表示パネル収容部は、ダイキャスティング工法で製造される。
【００６５】
図示しなかったが、本発明の一実施形態による曲面型表示装置１０は、モールドフレームを含んでもよい。モールドフレームは、表示パネル１００及びメインシャーシ３００の間に形成されて、モールドフレームは、バックライトユニット２００がメインシャーシ３００から離脱されることを防止し、表示パネル１００を支持する。
【００６６】
図３Ａは、本発明の一実施形態による曲面型表示装置に含まれる導光板を概略的に示した斜視図である。
【００６７】
図３Ｂは、本発明の一実施形態による曲面型表示装置に含まれる導光板を概略的に示した斜視図である。
【００６８】
図３Ｃは、本発明の一実施形態による曲面型表示装置に含まれる導光板を概略的に示した斜視図である。
【００６９】
図１Ａ乃至図１Ｃ、図３Ａ乃至図３Ｃを参照すれば、導光板２４０は、入光面２４１及び対光面２４２を含む。入光面２４１は、光を受け取る。入光面２４１は、光源ユニット２３０と隣接する。対光面２４２は、入光面２４１と対向する。対光面２４２は、入光面２４１と第１方向ＤＲ１（使用状態の垂直方向）に離隔される。
【００７０】
入光面２４１及び対光面２４２の各々は、例えば、長方形が湾曲した形状を有してもよい。入光面２４１及び対光面２４２の各々は、例えば、リングの一部形状を有してもよい。入光面２４１及び対光面２４２の各々は、曲線及び直線に定義される。導光板２４０は、入光面２４１で第１厚さｔ１を有し、対光面２４２で第２厚さｔ２を有する。導光板２４０は、入光面２４１から対光面２４２に行くほど、厚さが薄くなる。例えて、導光板２４０は、入光面２４１から対光面２４２に行くほど、厚さが一定の割合で薄くなる。
【００７１】
導光板２４０は、第１側面２４３及び第２側面２４４をさらに含む。第１側面２４３は、入光面２４１及び対光面２４２と接続される。第２側面２４４は、第１側面２４３と対向する。第２側面２４４は、入光面２４１及び対光面２４２と接続される。第２側面２４４は、第１側面２４３と第２方向ＤＲ２（使用状態の左右方向）に離隔される。
【００７２】
第１側面２４３及び第２側面２４４の各々は、例えば、台形の形状を有する。第１側面２４３及び第２側面２４４の各々は、直線により画される。
【００７３】
導光板２４０は、出光面２４６及び導光背面２４７をさらに含む。出光面２４６は、受け取った光を出射する。導光背面２４７は、出光面２４６と対向する。導光背面２４７は、出光面２４６と第３方向（厚さ方向）に離隔される。出光面２４６及び導光背面２４７の各々は、直線で構成される。出光面２４６と導光背面２４７と間の距離は、入光面２４１から対光面２４２に行くほど、近くなる。
【００７４】
図１Ａ乃至図１Ｃ、図３Ｂ及び図３Ｃを参照すれば、出光面２４６及び導光背面２４７の中で少なくとも１つは、レンチキュラー形状又はプリズム形状を有する。水平方向断面及び垂直方向断面の少なくとも一方において、レンチキュラー形状は、例えば、複数の曲面形状が連結されたものである。プリズム形状は、例えば、複数個の三角形が連結されたものである。出光面２４６及び導光背面２４７は、複数個のレンチキュラー形状又は複数個のプリズム形状を含む。出光面２４６及び導光背面２４７は、レンチキュラー形状又はプリズム形状を含んで、出光面２４６に出射する光を集光して、輝度を向上させることができる。図３Ｂでは、レンチキュラー形状に含まれる曲面形状の大きさが互いに同一であることを例えて図示したが、これに限定されることではなく、レンチキュラー形状に含まれる曲面形状の中で少なくとも１つの大きさは、異なる。また、図３Ｃでは、プリズム形状に含まれる三角形の大きさが一定であることを例として図示したが、これに限定されることではなく、プリズム形状に含まれる三角形の中で少なくとも１つの大きさは、異なってもよい。
【００７５】
出光面２４６及び導光背面２４７の中で少なくとも１つがレンチキュラー形状又はプリズム形状を有する場合、導光板２４０に光が供給される時、複数個のレンチキュラー形状の各々及び複数個のプリズム形状の各々の内に光がガイドされる。これによって、ローカル調光アルゴリズムを使用して表示パネルを駆動し、消費電力を減少させるのにより容易である。
【００７６】
図３Ｄは、本発明の一実施形態による曲面型表示装置に含まれる導光板を概略的に示した側面図である。
【００７７】
図１Ａ乃至図１Ｃ及び図３Ａ乃至図３Ｄを参照すれば、出光面２４６と導光背面２４７との間の角度θは、０．１°乃至０．３°である。出光面２４６と導光背面２４７との間の角度θが０．１°未満であれば、曲面型表示装置のスリム化を具現し難く、出光面２４６と導光背面２４７との間の角度θが０．３°を超過すれば、入光面２４１に供給された光が出光面２４６に十分にガイドされ難い。
【００７８】
導光板２４０は、散乱剤を、内部または表面に、さらに含む。散乱剤は、光を散乱させて表示パネルの暗部を減少させることができる。散乱剤は、通常使用するものであれば特別に限定しないが、例えば、金、銀、アルミニウム、白金、パラジウム、カドミウム、コバルト、ルテニウム、銅、インジウム、ニッケル、及び鉄からなる群より選択される少なくとも１種の金属、前記群より選択される少なくとも１種以上を含む合金、ＴｉＯ2、ＳｉＯ2、ＢａＳＯ4、及びＣａＣＯ3の中の、少なくとも１つを含む。
【００７９】
散乱剤は、透明なものであってもよい。散乱剤は、例えば、ポリカーボネート（ＰＣ）、ポリエチレンテレフタレート（ＰＥＴ）、ポリエチレン（ＰＥ）、ポリプロピレン（ＰＰ）、ポリスルホン（ＰＳＦ）、ポリメチルメタクリラート（ＰＭＭＡ）、トリアセチルセルロース（ＴＡＣ）、シクロオレフィンポリマー（ＣＯＰ）及びシクロオレフィンコポリマー（ＣＯＣ）の中の少なくとも１つ以上を含む。
【００８０】
図４Ａは、本発明の一実施形態による曲面型表示装置を概略的に示した分解斜視図である。
【００８１】
図４Ｂは、図４ＡのＩ−Ｉ’線に対応する概略的な断面図である。
【００８２】
図４Ｃは、本発明の一実施形態による曲面型表示装置を概略的に示した斜視図である。
【００８３】
図５Ａは、本発明の一実施形態による曲面型表示装置を概略的に示した分解斜視図である。
【００８４】
図５Ｂは、図５ＡのＩ−Ｉ’線に対応する概略的な断面図である。
【００８５】
図５Ｃは、本発明の一実施形態による曲面型表示装置を概略的に示した斜視図である。
【００８６】
図４Ａ乃至図４Ｃ及び図５Ａ乃至図５Ｃを参照すれば、本発明の一実施形態による曲面型表示装置１０は、バックライトユニット２００、表示パネル１００、メインシャーシ３００、印刷回路基板４１０、テープキャリヤーパッケージ４２０（Ｔａｐｅ  Ｃａｒｒｉｅｒ  Ｐａｃｋａｇｅ：ＴＣＰ）、及びサブシャーシ５００を含む。以下では、先に説明した図１Ａ乃至図１Ｃを参照した曲面型表示装置１０との差異点を主に具体的に説明し、説明されなかった部分は、先に説明した図１Ａ乃至図１Ｃを参照した曲面型表示装置１０と同様である。
【００８７】
先に言及されたように、表示パネル１００は、映像を表示する。表示パネル１００は、第１基板１０２と第１基板１０２に対向される第２基板１０４とを含む。図示しなかったが、表示パネル１００は、第１基板１０２と第２基板１０４との間に形成される液晶層を含む。
【００８８】
図示しなかったが、第１基板１０２には、第１方向ＤＲ１に延長された複数のゲートライン及び第１方向ＤＲ１と垂直である第２方向ＤＲ２に延長されてゲートラインと絶縁されるように交差する複数のデータラインが配置される。第１基板１０２には、複数の画素領域がマトリックス状に具備される。画素領域の各々には、薄膜トランジスタ及び画素電極が配置される。薄膜トランジスタのゲート電極は、ゲートラインの中で対応する１つのゲートラインと電気的に連結され、薄膜トランジスタのソース電極は、データラインの中で対応する１つのデータラインと電気的に連結され、薄膜トランジスタのドレーン電極は、画素電極と電気的に連結される。したがって、薄膜トランジスタは、画素領域の各々を制御又は駆動するための信号を画素電極にスイッチングする。
【００８９】
図示しなかったが、第２基板１０４は、光を利用して所定の色を具現するカラーフィルター及びカラーフィルターの上に形成されて画素電極と対向する共通電極を含む。カラーフィルター及び共通電極は、第１基板１０２の上に形成される。
【００９０】
液晶層（図示せず）は、第１基板１０２及び第２基板１０４の間に形成される。液晶層（図示せず）は、画素電極及び共通電極に印加される電圧によって特定方向に配列されることによって、バックライトユニット２００から受信される光の透過度を調節して表示パネル１００が映像を表示できるようにする。
【００９１】
先に言及されたように本発明の一実施形態による曲面型表示装置１０は、表示パネル１００と電気的に連結される印刷回路基板４１０及び表示パネル１００及び印刷回路基板４１０と連結されるテープキャリヤーパッケージ４２０をさらに含む。本発明の一実施形態による曲面型表示装置１０は、表示パネル１００の側面の中で少なくとも１つをカバーするサブシャーシ５００をさらに含む。
【００９２】
印刷回路基板４１０は、表示パネル１００と電気的に連結される。印刷回路基板４１０は、メインシャーシ３００の一面に形成される。例えば、表示パネル１００の厚さ方向ＤＲ３から見た時、印刷回路基板４１０は、メインシャーシ３００の下部に付着される。印刷回路基板４１０は、曲がったものである。
【００９３】
印刷回路基板４１０は、表示パネル１００を駆動する。印刷回路基板４１０は、表示パネル１００に駆動信号を送信する駆動部（図示せず）を含む。但し、これに限定されることではなく、駆動部（図示せず）は、テープキャリヤーパッケージ４２０に含んでもよい。
【００９４】
駆動部（未図示）は、外部信号に応答して表示パネル１００を駆動するための駆動信号を発生する。外部信号は、印刷回路基板４１０から送信された信号であり、外部信号には映像信号、各種制御信号、及び駆動電圧等が含まれる。
【００９５】
表示パネル１００に映像を表示するためにゲート信号及びデータ信号が必要とし、駆動部（図示せず）は、映像信号をデータ信号に変換して表示パネル１００に伝送するデータドライバ（図示せず）を含む。これに限定されることではなく、データドライバ（図示せず）は、チップで構成されてテープキャリヤーパッケージ４２０に実装されてもよく、第１ベース基板にチップオンガラス（Ｃｈｉｐ  Ｏｎ  Ｇｌａｓｓ：ＣＯＧ）の形状にて実装されるのでもよい。
【００９６】
ゲート信号を生成するゲートドライバ（図示せず）は、第１ベース基板の上に直接的に形成される。これに限定されることではなく、ゲートドライバ（図示せず）は、チップで構成されてテープキャリヤーパッケージ４２０又は駆動部（図示せず）に実装される。
【００９７】
印刷回路基板４１０は、フレキシブル又はリジッド（ｒｉｇｉｄ）なものであってもよい。例えば、印刷回路基板４１０は、ポリマー基板、プラスチック基板、ガラス基板、石英基板等であってもよい。
【００９８】
テープキャリヤーパッケージ４２０は、印刷回路基板４１０及び表示パネル１００を電気的に連結する。テープキャリヤーパッケージ４２０は、弾性を有するフィルムの形状に形成される。テープキャリヤーパッケージ４２０は、複数個である。
【００９９】
サブシャーシ５００は、テープキャリヤーパッケージ４２０をカバーする。サブシャーシ５００は、曲がったものである。サブシャーシ５００は、上面のサブシャーシ５１０及び側面のサブシャーシ５２０を含む。上面のサブシャーシ５１０は、第１基板１０２の一部及びテープキャリヤーパッケージ４２０と重畳する。側面のサブシャーシ５２０は、上面のサブシャーシ５１０と連結される。側面のサブシャーシ５２０は、テープキャリヤーパッケージ４２０と重畳する。
【０１００】
サブシャーシ５００は、対光面２４２（図３Ａ）よりも、入光面２４１（図３Ａ）と隣接して形成される。サブシャーシ５００は、メインシャーシ３００の少なくとも一側面に形成される。例えば、サブシャーシ５００は、メインシャーシ３００の一側面に形成され、他の側面には形成されない。
【０１０１】
好ましい実施形態において、サブシャーシ５００は、メインシャーシ３００について説明したのと同一の材料を用いて形成する。例えば、サブシャーシ５００は、金属及び合金を含む材料を用いて形成される。例えば、サブシャーシ５００は、アルミニウム、マグネシウム、金、銀、及び鉄等を含む金属または合金を、主たる材料、コア材料、またはクラッドの材料として用いて形成される。また、メインシャーシ３００について説明したと同様に、場合によっては、熱伝導性の樹脂などから形成することができる。補助フレーム６００についても、ここに説明したのと全く同様である。
【０１０２】
補助フレーム６００は、印刷回路基板４１０をカバーする。補助フレーム６００は、水平方向に、延びるとともに同様に湾曲したものである。補助フレーム６００は、印刷回路基板４１０をカバーし、メインシャーシ３００の一部と厚さ方向ＤＲ３に重ね合わされる。補助フレーム６００は、対光面２４２（図３Ａ）よりも、入光面２４１（図３Ａ）と隣接する位置に形成される。
【０１０３】
図示の例では、サブシャーシ５００及び補助フレーム６００は、メインシャーシ３００の全長にわたって、すなわち左右方向の両端に掛け渡されるように水平方向に延びており、垂直方向断面において、サブシャーシ５００はＬ字状をなし、補助フレーム６００は、コの字状である。そして、サブシャーシ５００は、メインシャーシ３００の下端面と重ね合わされる水平壁部と、表示パネル１００の下端部、及びメインシャーシ３００の周壁の下端部を、表側から覆う垂直壁部とからなる。また、補助フレーム６００は、メインシャーシ３００の下端部の背面に組み付けられるケーシング状である。そして、図５Ｂ及び５Ｃに示すように、サブシャーシ５００の垂直壁部と、補助フレーム６００の下面とが、連続する一つの水平面をなして、表示装置を立てた際に、台面または床面に接する底面をなす。すなわち、サブシャーシ５００及び補助フレーム６００が表示装置の支持部を果たすことができるので、一層のスリム化及び軽量化が可能である。なお、場合によっては、サブシャーシ５００と補助フレーム６００とを一体の部材として設けて、下方からメインシャーシ３００に組み付けることも可能である。また、補助フレーム６００は、断面コの字状以外にも、例えば、水平の底面と、傾斜面とからなる断面Ｖ字状などであっても良い。
【０１０４】
図５Ａ及び５Ｂに示すように、図示の例で、表示パネル１００の入力端子形成部と、印刷回路基板４１０とを電気的に接続するテープキャリアパッケージ４２０が、サブシャーシ５００と、メインシャーシ３００の下端部との間に挟み込まれている。
【０１０５】
なお、図５Ａ及び５Ｂ並びに図４Ａ及び４Ｂ示す例において、メインシャーシ３００の周壁の内面に設けられた段部が、表示パネル１００を保持する役割を果たしており、図５Ｂ及び図４Ｂの具体例において、サブシャーシ５００の垂直壁部の表側の面と、表示パネルの表示面とが、連続した一つの面をなしている。
【０１０６】
また、図５Ａ及び５Ｂ並びに図４Ａ及び４Ｂ示す例において、メインシャーシ３００の主壁の下端部には、光源部２３０の一部を受け入れて保持する凹部が、水平方向に延びている。なお、この凹部に代えて、メインシャーシ３００の主壁を貫く孔であっても良い。図４Ａ乃至図４Ｃ及び図５Ａ乃至図５Ｃでは、補助フレーム６００の内部が空いていることを例として図示したが、これに限定されることではなく、補助フレーム６００の内部は、各種部品や、充填樹脂などにより満たされたものであっても良い。
【０１０７】
図５Ａ乃至図５Ｃを参照すれば、メインシャーシ３００は、メインシャーシ３００の剛性を補強するリブ３４０をさらに含む。リブ３４０は、メインシャーシ３００と同一の材料からなるもの、特には、エンボス加工によりメインシャーシ３００の主壁を部分的に変形した形のものであっても良い。場合によっては、別途に、インシャーシ３００の主壁に背面側から取り付けられる、断面コの字状の部材などでも良い。
【０１０８】
リブ３４０は、表示パネル１００の厚さ方向ＤＲ３から見た時、補助フレーム６００と重畳しなくともよい。リブ３４０は、補助フレーム６００と離隔される。
【０１０９】
図５Ａ乃至図５Ｃでは、リブ３４０が二つである場合を例えて図示したが、これに限定されることではなく、リブ３４０は、一つである場合もあり、３つ以上である場合もある。
【０１１０】
図５Ａ及び図５Ｃでは、リブ３４０が第２方向ＤＲ２（左右方向）に延びるることを例として図示したが、これに限定されることではなく、リブ３４０は、第１方向ＤＲ１（垂直方向）に延びるのでもよい。
【０１１１】
従来の曲面型表示装置は、厚さが一定であり、曲がった導光板を含んでいる。但し、本発明の曲面型表示装置は、厚さが一定ではなく、曲がった導光板を含んで、従来の曲面型表示装置と比べてスリム化を具現することが容易である。
【０１１２】
従来の曲面型表示装置は、一般的に、メインシャーシの側面、下面等と締結される補助構造を含んで、スリム化を具現し難かった。但し、本発明の一実施形態による曲面型表示装置は、モールドフレーム、放熱板等の一体化されたメインシャーシを含み、別途の補助構造を含まないので、スリム化を具現することができる。
【０１１３】
図４Ｃ及び図５Ｃを参照すれば、本発明の一実施形態による曲面型表示装置は、入光面を下部にし、立てて使用することができる。例えば、本発明の一実施形態による曲面型表示装置は、テレビとして使用することができ、補助フレーム及びサブシャーシを支持台にし、立てて使用することができる。したがって、本発明の一実施形態による曲面型表示装置は、メインシャーシの側面を全てカバーする別途の支持手段を要求しないので、スリム化を具現することが容易である。
【０１１４】
以下では、本発明の一実施形態による曲面型表示装置の製造方法に対して説明する。以下では、先に説明した本発明の一実施形態による曲面型表示装置との差異点を主に具体的に説明し、説明されなかった部分は、先に説明した本発明の一実施形態による曲面型表示装置にしたがう。
【０１１５】
図６は、本発明の一実施形態による曲面型表示装置の製造方法を概略的に示した順序図である。
【０１１６】
図１Ａ乃至図１Ｃ、図３Ａ、図４Ａ乃至図４Ｃ、図５Ａ乃至図５Ｃ、及び図６を参照すれば、本発明の一実施形態による曲面型表示装置の製造方法は、バックライトユニット２００を準備する段階Ｓ１００及びバックライトユニット２００の表側に表示パネル１００を配置する段階Ｓ２００を含む。
【０１１７】
バックライトユニット２００を準備する段階Ｓ１００は、入光面２４１及び対光面２４２を含み、入光面２４１から対光面２４２に行くほど、厚さが薄くなる導光板２４０を準備する段階を含む。バックライトユニット２００を準備する段階Ｓ２００は、光源ユニット２３０を形成する段階及び光源ユニット２３０の上に光学部材２５０を形成する段階を含む。
【０１１８】
導光板２４０を準備する段階で準備される導光板２４０は、入光面２４１及び対光面２４２を含む。導光板２４０は、入光面２４１から対光面２４２に行くほど、厚さが薄くなる。導光板２４０は、入光面２４１から対光面２４２に行くほど、厚さが一定の割合で減小する。
【０１１９】
入光面２４１は、光を受信する。入光面２４１は、光源ユニット２３０と隣接する。対光面２４２は、入光面２４１と対向する。対光面２４２は、入光面２４１と第１方向ＤＲ１に離隔される。
【０１２０】
入光面２４１及び対光面２４２の各々は、例えば、曲がった長方形の形状を有する。入光面２４１及び対光面２４２の各々は、例えば、輪郭の一部に、リングの一部の形状を有してもよい。入光面２４１及び対光面２４２の各々は、曲線及び直線で構成される。
【０１２１】
導光板２４０は、第１側面２４３及び第２側面２４４をさらに含む。第１側面２４３は、入光面２４１及び対光面２４２と連結される。第２側面２４４は、第１側面２４３と対向する。第２側面２４４は、入光面２４１及び対光面２４２と連結される。第２側面２４４は、第１側面２４３と第２方向ＤＲ２に離隔される。
【０１２２】
第１側面２４３及び第２側面２４４の各々は、例えば、台形の形状を有してもよい。第１側面２４３及び第２側面２４４の各々は、直線で構成される。
【０１２３】
導光板２４０は、出光面２４６及び導光背面２４７をさらに含む。出光面２４６は、光を受信して出射する。導光背面２４７は、出光面２４６と対向する。導光背面２４７は、出光面２４６と第３方向に離隔される。出光面２４６及び導光背面２４７の各々は、直線で構成される。出光面２４６と導光背面２４７との間の距離は、入光面２４１から対光面２４２に行くほど、近くなる。
【０１２４】
導光板２４０を準備する段階は、押出又は射出で導光板２４０を準備する。例えば、導光板２４０を準備する段階で、複数のローラーを使用して金属、合金等を押出して導光板２４０を準備する。また、例えば、導光板２４０を準備する段階で、金型を使用して、金属、合金等を射出して導光板２４０を準備する。
【０１２５】
表示パネル１００を形成する段階Ｓ２００で、表示パネル１００は、バックライトユニット２００の上に形成される。表示パネル１００は、光を受光して、映像を表示する。表示パネル１００は、第１基板１０２と第１基板１０２に対向される第２基板１０４とを含む。図示しなかったが、表示パネル１００は、第１基板１０２と第２基板１０４との間に形成される液晶層を含む。
【０１２６】
本発明の一実施形態による曲面型表示装置１０の製造方法は、メインシャーシ３００を形成する段階をさらに含む。メインシャーシ３００は、バックライトユニット２００及び表示パネル１００を固定する。メインシャーシ３００は、曲がったものである。
【０１２７】
メインシャーシ３００は、金属又は合金を含む。例えば、メインシャーシ３００は、アルミニウム、金、銀、及び鉄等を含む。これによって、メインシャーシ３００は、表示パネル１００等を固定する役割だけではなく、防熱板の役割を共に遂行することができる。本発明の一実施形態による曲面型表示装置１０がモールドフレームを含まない場合、メインシャーシ３００は、モールドフレームの役割も共に遂行する。
【０１２８】
メインシャーシ３００の厚さは、一定ではなくでもよい。例えば、メインシャーシ３００で、導光板２４０の入光面２４１と隣接する部分の厚さは、導光板２４０の対光面２４２と隣接する。メインシャーシ３００の厚さは、導光板２４０の入光面２４１と隣接する部分で、導光板２４０の対光面２４２と隣接する部分に近くなるほど、一定に小さくなる。
【０１２９】
本発明の一実施形態による曲面型表示装置１０の製造方法は、表示パネルと電気的に連結される印刷回路基板４１０及び印刷回路基板４１０及び表示パネルの各々と連結されるテープキャリヤーパッケージ４２０を提供する段階をさらに含む。
【０１３０】
印刷回路基板４１０は、表示パネル１００と電気的に連結される。印刷回路基板４１０は、メインシャーシ３００の下部に取り付けられる。印刷回路基板４１０は、曲がったものである。
【０１３１】
テープキャリヤーパッケージ４２０は、印刷回路基板４１０及び表示パネル１００を電気的に連結する。テープキャリヤーパッケージ４２０は、弾性を有するフィルムの形状に形成される。テープキャリヤーパッケージ４２０は、複数個である。
【０１３２】
本発明の一実施形態による曲面型表示装置１０の製造方法は、サブシャーシ５００を形成する段階をさらに含むことができる。サブシャーシ５００は、表示パネル１００の側面の中で少なくとも１つをカバーする。
【０１３３】
サブシャーシ５００は、印刷回路基板４１０及びテープキャリヤーパッケージ４２０をカバーする。サブシャーシ５００は、曲がったものである。サブシャーシ５００は、メインシャーシ３００の少なくとも一側面に形成される。例えば、サブシャーシ５００は、メインシャーシ３００の一側面に形成され、他の側面には形成されない。
【０１３４】
サブシャーシ５００は、メインシャーシ３００と同一の物質を含む。例えば、サブシャーシ５００は、金属及び合金を含む。例えば、サブシャーシ５００は、アルミニウム、金、銀、及び鉄等を含む。
【０１３５】
本発明の一実施形態による曲面型表示装置１０の製造方法は、補助フレーム６００を形成する段階をさらに含むことができる。補助フレーム６００は、印刷回路基板４１０をカバーする。補助フレーム６００は、曲がったものである。補助フレーム６００は、印刷回路基板４１０をカバーし、メインシャーシ３００の一部と重畳する。補助フレーム６００は、入光面２４１と重畳し、対光面２４２と重畳しない。
【０１３６】
従来の曲面型表示装置の製造方法によって製造された曲面型表示装置は、厚さが一定であり、曲がった導光板を含んでいる。但し、本発明の曲面型表示装置の製造方法によって製造された曲面型表示装置は、厚さが一定ではなく、曲がった導光板を含んで、従来の曲面型表示装置と比べてスリム化を具現することが容易である。
【０１３７】
従来の曲面型表示装置の製造方法によって製造された曲面型表示装置は、一般的に、メインシャーシの側面、下面等と締結される補助構造を含んで、スリム化を具現することが難しかった。但し、本発明の曲面型表示装置の製造方法によって製造された曲面型表示装置は、モールドフレーム、放熱板等と一体化されたメインシャーシを含み、別途の補助構造を包含しなくスリム化を具現することができる。
【０１３８】
図４Ｃ及び図５Ｃを参照すれば、本発明の曲面型表示装置の製造方法によって製造された曲面型表示装置は、入光面を下部にし、立てて使用することができる。例えば、本発明の一実施形態による曲面型表示装置は、テレビとして使用されることができ、補助フレーム及びサブシャーシを支持台にし、立てて使用することができる。したがって、本発明の曲面型表示装置の製造方法によって製造された曲面型表示装置は、メインシャーシの側面を全てカバーする別途の支持手段を要求しないので、スリム化を具現することが容易である。
【０１３９】
以上、添付された図面を参照して本発明の実施形態を説明したが、本発明が属する技術分野で通常の知識を有する者は、本発明がその技術的思想や必須的な特徴を変形しなく、他の具体的な形態に実施できることが理解できる。したがって、以上で記述した実施形態は、すべての面で例示的なことであり、限定的なことではないと理解しなければならない。
【符号の説明】
【０１４０】
１０      曲面型表示装置
１００    表示パネル
５００    バックライトユニット
２４０    導光板
３００    メインシャーシ
４１０    印刷回路基板
４２０    テープキャリヤーパッケージ
５００    サブシャーシ
６００    補助フレーム
【図１Ａ】
2017003972.tif 000003
【図１Ｂ】
2017003972.tif 000004
【図１Ｃ】
2017003972.tif 000005
【図２Ａ】
2017003972.tif 000006
【図２Ｂ】
2017003972.tif 000007
【図２Ｃ】
2017003972.tif 000008
【図３Ａ】
2017003972.tif 000009
【図３Ｂ】
2017003972.tif 000010
【図３Ｃ】
2017003972.tif 000011
【図３Ｄ】
2017003972.tif 000012
【図４Ａ】
2017003972.tif 000013
【図４Ｂ】
2017003972.tif 000014
【図４Ｃ】
2017003972.tif 000015
【図５Ａ】
2017003972.tif 000016
【図５Ｂ】
2017003972.tif 000017
【図５Ｃ】
2017003972.tif 000018
【図６】
2017003972.tif 000019